(57)【特許請求の範囲】
【請求項１】
床面に沿って延び、前記床面上に間隔を隔てて二本一対で設置されるベース脚と、
それぞれの前記ベース脚上に設けられて上方に延び、棚板が装着可能とされた支柱と、
互いに隣接する二本の支柱の下端部どうしを連結する下部連結材と、
二本一対の前記ベース脚上に設置され、前記下部連結材側の後端部に、下方に延びる垂下壁を有したベース棚と、を備え、
前記下部連結材は、二本一対の前記支柱どうしを結ぶ方向に延びる連結バーと、
前記連結バーの両端部に設けられ、前記支柱に係止される係止部と、
前記係止部に形成され、前記ベース棚を前記下部連結材に接近・離間する前後方向において拘束する拘束部と、を備え、
前記拘束部は、二本一対の前記支柱どうしを結ぶ鉛直面内に位置するバックプレートと、
前記バックプレートの表面に直交する方向に間隔を隔てて配置されたフック部と、を備え、前記バックプレートと前記フック部との間に前記垂下壁が挿入されることで前記ベース棚を前後方向に拘束し、
前記バックプレートが、前記フック部に対し、前記下部連結材の軸線方向に沿ってオフセットした位置に、前記垂下壁が突き当たる突き当たり面を有していることを特徴とする物品陳列棚。
【請求項２】
前記バックプレートは、前記下部連結材の軸線方向に沿った幅寸法が前記フック部よりも大きく形成され、前記フック部に対し、前記下部連結材の軸線方向に沿った両側に前記突き当たり面を有していていることを特徴とする請求項１に記載の物品陳列棚。
【発明の詳細な説明】
【技術分野】
【０００１】
本発明は、店舗等において物品の展示のために設置され、最下段のベース棚を備えた物品陳列棚に関する。
【背景技術】
【０００２】
店舗において商品等の物品を展示するための物品陳列棚は、その設置や移動、ディスプレイ方法の変更等を容易に行えるよう、床面上に設置されるベース脚、ベース脚上に立設される支柱、互いに隣接する支柱に係止される棚板等からなる組立式のものが多用されている。
【０００３】
このような陳列棚においては、ベース脚上に、最下段のベース棚を設けることがある。
ベース棚は、支柱に係止するのではなく、ベース脚上に載置される。ベース棚の前後方向方向（支柱どうしが隣接する方向に直交する方向）への位置決めのため、互いに隣接する二本の支柱の下端部どうしを連結する下部連結材に係止具を設け、この係止具にベース棚の後端部を係止させることが提案されている（例えば、特許文献１参照。）。
【先行技術文献】
【特許文献】
【０００４】
【特許文献１】特開２００２−９５５５９号公報
【発明の概要】
【発明が解決しようとする課題】
【０００５】
しかし、上記特許文献１に示された構成では、下部連結材と係止具とが別部品であるために、部品点数が増えてコストがかかる。さらに、ベース棚の取り付け時には、下部連結材に係止具を装着する必要があり、手間がかかる。また、部品点数が多ければ、工場出荷時に、部品の出荷間違い等が起きる可能性が高まる。
【０００６】
また、このような物品陳列棚は、店舗内のレイアウト変更等のため、棚の高さ等の変更を行うことがある。そのような場合、ベース棚と係止具を一緒に取り外したならば、これらを確実に保管しておく必要がある。その後に再びベース棚を取り付けるときまでに、係止具を紛失してしまう恐れがあるからである。
【０００７】
さらに、係止具は、下部連結材に装着された部分から下方に延びる垂下片と、垂下片の下端から斜め上方に折り曲げられた折曲片とが、断面視略レ字状をなしている。この垂下片と折曲片とからなるフック部に、ベース棚の後端部を引っかけているが、フック部とベース棚の後端部との間に、ベース棚が前後方向に動いてしまうだけのクリアランスが残されている可能性がある。
また、係止具が下部連結材に引っかけられているのみであるため、ベース棚とともに係止具が前後に動いてしまう可能性がある。
【０００８】
そこでなされた本発明は、ベース棚を容易かつ強固に取り付けることができるとともに、部品点数を減らして部品管理を確実に行うことのできる物品陳列棚を提供することである。
【課題を解決するための手段】
【０００９】
本発明は、上記課題を解決するため、以下の手段を採用する。
すなわち、本発明の物品陳列棚は、床面に沿って延び、床面上に間隔を隔てて二本一対で設置されるベース脚と、それぞれのベース脚上に設けられて上方に延び、棚板が装着可能とされた支柱と、互いに隣接する二本の支柱の下端部どうしを連結する下部連結材と、二本一対のベース脚上に設置され、下部連結材側の後端部に、下方に延びる垂下壁を有したベース棚と、を備え、前記下部連結材は、二本一対の前記支柱どうしを結ぶ方向に延びる連結バーと、前記連結バーの両端部に設けられ、前記支柱に係止される係止部と、前記係止部に形成され、前記ベース棚を前記下部連結材に接近・離間する前後方向において拘束する拘束部と、を備え、拘束部は、二本一対の支柱どうしを結ぶ鉛直面内に位置するバックプレートと、バックプレートの表面に直交する方向に間隔を隔てて配置されたフック部と、を備え、バックプレートとフック部との間に垂下壁が挿入されることでベース棚を前後方向に拘束し、バックプレートが、フック部に対し、下部連結材の軸線方向に沿ってオフセットした位置に、垂下壁が突き当たる突き当たり面を有していることを特徴とする。
このような構成によれば、バックプレートが、フック部に対し、下部連結材の軸線方向に沿ってオフセットした位置に、垂下壁が突き当たる突き当たり面を有している。これにより、垂下壁が下部連結材の軸線方向に沿って互いにオフセットしたフック部とバックプレートの少なくとも２か所で保持されるため、ベース棚を安定的に拘束することができる。
また、拘束部が下部連結材に形成されているため、これらが別々の部品の場合のように、部品を紛失したり、不用意に外れたり、手配間違いをする可能性が低くなる。
【００１０】
ここで、バックプレートは、フック部の片側のみにオフセットした位置に突き当たり面を有しても良いが、バックプレートは、下部連結材の軸線方向に沿った幅寸法がフック部よりも大きく形成され、フック部に対し、下部連結材の軸線方向に沿った両側に突き当たり面を有していているのが好ましい。これにより、ベース棚を、より安定的に拘束することができる。
【発明の効果】
【００１２】
本発明によれば、拘束部を構成するバックプレートとフック部は、下部連結材に一体に設けられているため、ベース棚を容易に取り付けることができるとともに、部品点数を減らして部品管理を確実に行うことが可能となる。
また、垂下壁が連結材の軸線方向に沿って互いにオフセットしたフック部とバックプレートの少なくとも２か所で保持されるため、ベース棚を安定的に拘束することができる。
【図面の簡単な説明】
【００１３】
【図１】本実施形態に係る物品陳列棚の外観を示す斜視図である。
【図２】上部連結材を示す正面図である。
【図３】キャップの側面図および平面図である。
【図４】物品陳列棚のベース棚を下方から見た斜視図である。
【図５】下部連結材を示す平面図、正面図、側面図である。
【図６】ベース棚の拘束部を示す拡大平面図である。
【発明を実施するための形態】
【００１４】
以下、添付図面を参照して、本発明による物品陳列棚を実施するための最良の形態を説明する。しかし、本発明はこれらの実施例のみに限定されるものではない。
図１に示すように、物品陳列棚１０は、床面に沿って延び、床面上に間隔を隔てて互いに平行に設置される二本一対のベース脚１１と、各ベース脚１１上に設けられて上方に延び、棚板が装着可能とされた二本一対の支柱１２、１２と、互いに隣接する二本の支柱１２、１２の下端部どうしを互いに連結する下部連結材１３と、互いに隣接する二本の支柱１２、１２の上端部どうしを互いに連結する上部連結材１４と、を備えている。
【００１５】
ベース脚１１は、床面に沿って延びる断面矩形の中空筒状で、その下面１１ａに床面に接地するパッド１５を備えている。
【００１６】
支柱１２は、断面矩形の中空筒状で、その前後面１２ｆ、１２ｒに、棚板等を係止するため、長手方向に所定の間隔をあけて略矩形状の係止孔１６が複数貫通形成されている。ここで、係止孔１６は、支柱の前後面１２ｆ、１２ｒの幅方向に２列に形成されている。これは、支柱１２の幅方向両側に棚板等のオプション部材が係止できるようにするためである。
また、支柱１２は、その両側面１２ａ、１２ｂに、下部連結材１３、上部連結材１４等を係止するため、長手方向に所定の間隔をあけて略矩形状の係止孔１７Ａやスリット１７Ｂが複数貫通形成されている。
【００１７】
図２に示すように、上部連結材１４は、断面矩形の筒状をなした連結バー２０と、連結バー２０の両端部に設けられた係止金具２１と、が一体に設けられている。
係止金具２１は、連結バー２０の少なくとも両側面に溶接されたプレート２１ａ，２１ａと、プレート２１ａ、２１ａに突出形成された係止フック２１ｂ、２１ｂと、を有する。そして、上部連結材１４は、両端に突出形成された係止フック２１ｂ、２１ｂを両側の支柱１２、１２のスリット１７Ｂ、１７Ｂに係止させることにより、両側の支柱１２、１２をその上部どうしにおいて互いに連結する。
【００１８】
さて、各ベース脚１１の先端部１１ｓには、先端部１１ｓの開口を塞ぐキャップ４０を装着することができる。図３に示すように、このキャップ４０は、ベース脚１１を断面視したときの外形寸法とほぼ同寸法に形成されたプレート部４１と、このプレート部４１からその表面に直交する方向に延び、ベース脚１１の内部に挿入される筒状部４２と、が一体に形成された構成を有している。これにより、プレート部４１は、筒状部４２よりも外周側に張り出して形成されている。
【００１９】
また、筒状部４２の先端部側には、片持ち状に延びる係止レバー４４が形成されている。この係止レバー４４は、ベース脚１１の側面に形成された開口１１ｃに嵌り込むことで、キャップ４０の抜け止めとして機能する。
【００２０】
また、図４に示すように、このキャップ４０は、ベース脚１１の先端部１１ｓに装着した状態で、ベース脚１１の上面１１ｂよりも上方に延びる一対の爪部材４５，４５が突出形成されている。
【００２１】
図５に示すように、下部連結材１３は、二本一対の支柱１２，１２どうしを結ぶ方向に延び、断面矩形の中空筒状をなした連結バー１８と、連結バー１８の両端部に設けられ、支柱１２に係止される係止金具（係止部）５０と、が一体に設けられている。
係止金具５０は、連結バー１８の少なくとも両側面に溶接により固定され、二本一対の支柱１２，１２どうしを結ぶ連結バー１８の軸線を含む鉛直面内に位置するバックプレート５０ａ，５０ａと、バックプレート５０ａ、５０ａの下端部どうしを連結し、水平面内に位置する連結部５０ｂとからなる、上向きに開口する断面略コ字状とされている。
バックプレート５０ａには、連結バー１８の軸線方向に沿った方向に、連結バー１８の端部から突出するよう、係止フック５２，５２が形成されている。下部連結材１３は、両端に突出形成された係止フック５２、５２を両側の支柱１２、１２の係止孔１７Ａ、１７Ａに係止させることにより、両側の支柱１２、１２をその下端部どうしにおいて互いに連結する。
【００２２】
図１、図４に示したように、このような物品陳列棚１０においては、二本一対のベース脚１１，１１上に、最下段のベース棚６０が、以下に示すような構成により設置されている。
ベース棚６０は、平面視矩形で、その上面において物品が載置される物品載置面６０ａと、物品載置面６０ａの側方および後方の各辺のそれぞれから鉛直下方に垂下する垂下壁６０ｂ、６０ｃと、物品載置面６０ａの裏面側（下面側）に設けられた補強フレーム６０ｄと、を有する。
【００２３】
下部連結材１３の両端部の係止金具５０には、最下段のベース棚６０が下部連結材１３に接近・離間する前後方向において拘束するベース棚拘束部（拘束部）５５が一体に形成されている。
すなわち、図５、図６に示すように、係止金具５０のバックプレート５０ａには、係止爪部材５１が形成されている。係止爪部材５１は、例えば、連結部５０ｂから連結バー１８の軸線に直交する水平方向に延びるベース部５１ａと、ベース部５１ａの先端部から、それぞれバックプレート５０ａ，５０ａと平行に立ち上がるフック部５１ｂ，５１ｂとからなる、断面略Ｌ字状とすることができる。フック部５１ｂは、バックプレート５０ａに対し、その表面に直交する方向に間隔を隔てて配置されている。
これらバックプレート５０ａとフック部５１ｂによってベース棚拘束部５５が形成され、バックプレート５０ａとフック部５１ｂとの間に、ベース棚６０の後端部側の垂下壁６０ｃを差し込むことによって、最下段のベース棚６０が下部連結材１３に接近・離間する前後方向において拘束される。
【００２４】
これら突出部５１ｃとフック部５１ｂは、連結バー１８の軸線方向における幅寸法が、同じ寸法Ｗ１に設定されている。また、係止金具５０のバックプレート５０ａは、連結バー１８の軸線方向における幅寸法が、フック部５１ｂよりも大きな寸法Ｗ２に設定されている。
また、このバックプレート５０ａに対し、フック部５１ｂは、連結バー１８の軸線方向において中間部に位置するよう形成されている。
このようにして、バックプレート５０ａは、フック部５１ｂに対し、下部連結材１３の軸線方向に沿って両側にオフセットした位置に、ベース棚６０の後端部側の垂下壁６０ｂが突き当たる突き当たり面Ｆ１、Ｆ２を有している。
【００２５】
このような、ベース棚拘束部５５は、以下のように形成することができる。すなわち、バックプレート５０ａ、５０ａ及び連結部５０ｂを形成する断面コの字状の部材に対して、連結部５０ｂにおけるバックプレート５０ａが接続される縁部において、バックプレート５０ａの下部までわたるようにしたＬ字状の切れ目を、フック部５１ｂの幅寸法分だけ離間して対をなして形成する。また、バックプレート５０ａ、５０ａに、当該対をなして形成されたＬ字状の切れ目の上端同士を結ぶようにして切れ目を形成する。そして、これら切れ目によって画成されたＬ字状の部分において、バックプレート５０ａから切り出された部分を、当該バックプレート５０ａよりも、少なくともベース棚の６０の垂下壁６０ｃの厚さ寸法以上にせり出させるように、バックプレート５０ａと連結部５０ｂとの折り曲げ位置とずらした位置で折り曲げることで、フック部５１ｂが形成される。
【００２６】
そして、ベース棚６０は、下部連結材１３側の後端部の垂下壁６０ｃが、ベース棚拘束部５５であるバックプレート５０ａと係止爪部材５１のフック部５１ｂとの間に挿入された状態で、垂下壁６０ｃは、一方の面（ベース棚６０の内周側の面）にフック部５１ｂが突き当たり、他方の面（ベース棚６０の外周側の面）にバックプレート５０ａが突き当たる。これにより、ベース棚６０が、下部連結材１３に接近・離間する前後方向に拘束されている。さらに、フック部５１ｂが垂下壁６０ｃに突き当たる部分Ｆ３に対し、バックプレート５０ａは、フック部５１ｂの両側の突き当たり面Ｆ１、Ｆ２において垂下壁６０ｃに突き当たる。
これにより、垂下壁６０ｃは、前後方向に係止されるだけでなく、その両面がバックプレート５０ａとフック部５１ｂとにより面接触により挟み込まれ、安定的に保持される。
【００２７】
また、図４に示したように、ベース棚６０は、その前端部側において、ベース脚１１，１１上に位置する両側の垂下壁６０ｂが、キャップ４０に形成された爪部材４５、４５の間に挿入される。一本のベース脚１１の両側にそれぞれベース棚６０を設ける場合、一方の側のベース棚６０の垂下壁６０ｂと、他方の側のベース棚６０の垂下壁６０ｂとが、同じ爪部材４５，４５の間に差し込まれるようになっている。これにより、ベース棚６０は、幅方向（隣り合う支柱１２，１２どうしが並ぶ方向）に固定される。
【００２８】
上述したような構成によれば、最下段のベース棚６０は、その後端部が下部連結材１３に設けられた係止爪部材５１のフック部５１ｂにより係止され、その幅方向両端部がキャップ４０に形成された爪部材４５、４５により係止されている。これにより、ベース棚６０は、前後方向、および左右方向に確実に係止される。
このとき、バックプレート５０ａは、フック部５１ｂに対し、下部連結材１３の軸線方向に沿って両側にオフセットした位置に、ベース棚６０の後端部側の垂下壁６０ｃが突き当たる突き当たり面Ｆ１、Ｆ２を有している。これにより、ベース棚６０の後端部においては、垂下壁６０ｃは、その両面がバックプレート５０ａとフック部５１ｂとにより両側から挟みこまれ、安定的に保持される。
さらに、このようなベース棚拘束部５５を、下部連結材１３に一体に備えるようにしたので、物品陳列棚１０の部品点数を減じて低コスト化を図ることができる。さらに、部品点数が減れば、部品の紛失やメーカや販売店からの部品発送時に部品発注ミスなどを防ぐことができる。
【００２９】
（その他の実施形態）
なお、本発明の物品陳列棚は、図面を参照して説明した上述の各実施形態に限定されるものではなく、その技術的範囲において様々な変形例が考えられる。
上記実施形態では、フック部５１ｂを係止金具５０に形成するようにしたが、フック部５１ｂが形成されるのであれば、いかなる構成としても良い。例えば、係止金具５０とフック部５１ｂとを別部材とし、これらを溶接等により一体化することもできる。
【００３０】
また、バックプレート５０ａは、フック部５１ｂに対し、下部連結材１３の軸線方向に沿って両側にオフセットした位置に、ベース棚６０の後端部側の垂下壁６０ｃが突き当たる突き当たり面Ｆ１、Ｆ２を有する構成としたが、フック部５１ｂの一方の側のみに突き当たり面を有する構成としても良い。
さらに、フック部５１ｂ，５１ｂは、バックプレート５０ａ，５０ａと平行としたが、フック部５１ｂ，５１ｂの上端側、あるいはフック部５１ｂ，５１ｂの全体を、ベース部５１ａから上方に行くにしたがい、バックプレート５０ａ，５０ａとの間隔を漸次拡開させる構成とすることもできる。これにより、下部連結材１３側の後端部の垂下壁６０ｃを、ベース棚拘束部５５であるバックプレート５０ａと係止爪部材５１のフック部５１ｂとの間に挿入しやすくなる。
【００３１】
例えば、支柱１２には、棚板に限らず、他の様々なオプション部品を装着することができる。
また、上記実施形態では、物品陳列棚１０は、二本の支柱１２，１２のみを備える構成としたが、三本以上の支柱１２を併設し、互いに隣接する二本の支柱１２、１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００３２】
１０  物品陳列棚
１１  ベース脚
１２  支柱
１３  下部連結材
１４  上部連結材
１８  連結バー
５０  係止金具（係止部）
５０ａ      バックプレート
５０ｂ      連結部
５１  係止爪部材
５１ａ      ベース部
５１ｂ      フック部
５１ｃ      突出部
５２  係止フック
５５  ベース棚拘束部（拘束部）
６０  ベース棚
６０ａ      物品載置面
６０ｃ      垂下壁
６０ｄ      補強フレーム
Ｆ１、Ｆ２  突き当たり面
【図１】
0005986761.tif 000002
【図２】
0005986761.tif 000003
【図３】
0005986761.tif 000004
【図４】
0005986761.tif 000005
【図５】
0005986761.tif 000006
【図６】
0005986761.tif 000007